【事件の表示】
　特願２０１７−　７５５５３「ヘアーアイロン」拒絶査定不服審判事件〔平成３０年　２月　１日出願公開、特開２０１８−　１５５３８〕について、次のとおり審決する。
【結　論】
　本件審判の請求は、成り立たない。
【理　由】
第１　手続の経緯
　この出願は、平成２９年４月５日（優先権主張　平成２８年７月１３日）の出願であって、平成３１年２月２８日付けの拒絶理由の通知に対し、令和元年５月１３日に意見書及び手続補正書が提出されたが、令和元年８月５日付けで拒絶査定がなされ、これに対して令和元年１１月１１日に拒絶査定不服審判の請求がされたものである。
　
第２　本願発明
　この出願の各請求項に係る発明は、令和元年５月１３日になされた手続補正により補正された特許請求の範囲の請求項１〜６に記載された事項により特定されるとおりのものであるところ、その請求項１に係る発明（以下、「本願発明」という。）は、次のとおりのものである。
　
　「長尺の第１アームと、長尺であり、長手方向の一端部が前記第１アームの長手方向の一端部に枢着され、他端部が前記第１アームの他端部に対して近づく方向または遠ざかる方向へ移動自在である第２アームと、を有し、前記第１アームと前記第２アームとで毛髪を挟持して施術するヘアーアイロンであって、
　前記第１アームにおける前記第２アームに対向する部位に設けられ、施術時に毛髪に接触する第１接触部と、
　前記第２アームにおける前記第１アームに対向する部位に設けられ、施術時に毛髪に接触する第２接触部と、
　前記第１接触部と前記第２接触部との少なくとも一方を加熱する加熱部と、を備え、
　前記第１接触部と前記第２接触部との少なくとも一方は、等方性高密度黒鉛から形成された部位を有する、
　ヘアーアイロン。」
　
第３　原査定（令和元年８月５日付け拒絶査定）の拒絶の理由
　原査定の拒絶の理由のうち、請求項１に係る発明についての拒絶の理由は、次のとおりである。
　この出願の請求項１に係る発明は、この出願の優先権主張の日（以下、「優先日」という。）前に日本国内又は外国において、頒布された又は電気通信回線を通じて公衆に利用可能となった以下の引用文献１に記載された発明、並びに引用文献４、引用文献６及び引用文献７に記載されたような周知の技術に基いて、その出願前にその発明の属する技術の分野における通常の知識を有する者（以下、「当業者」という。）が容易に発明をすることができたものであるから、特許法第２９条第２項の規定により特許を受けることができない。
　この出願の請求項１に係る発明は、この出願の優先日前に日本国内又は外国において、頒布された又は電気通信回線を通じて公衆に利用可能となった以下の引用文献２に記載された発明、並びに引用文献４、引用文献６及び引用文献７に記載されたような周知の技術に基いて、当業者が容易に発明をすることができたものであるから、特許法第２９条第２項の規定により特許を受けることができない。
　
引用文献１：特開２０１０−２３３８３０号公報
引用文献２：実願昭６０−１９８６９２号（実開昭６２−１０４７０１号）のマイクロフィルム（本審決における「引用文献２」。）
引用文献４：特開２００９−２７９３８８号公報（本審決における「引用文献４」。）
引用文献６：特開２０１６−０４２０５１号公報（本審決における「引用文献６」。）
引用文献７：特開２００８−１６２８６６号公報
　
第４　引用文献の記載及び引用発明
１．引用文献２の記載及び引用発明
（１）引用文献２の記載
　原査定の拒絶の理由で引用された、この出願の優先日前に頒布された刊行物である、引用文献２には、図面とともに、次の記載がある（下線は、当審で付与した。以下、同様。）。
　
ア．「産業上の利用分野
　本考案は、使用時に
遠赤外線を輻射するヘアカーラー
　
イ．「
第１図に示す梳髪部材（２）を兼備したヘアカーラーの加熱部（１）の加熱は、該加熱部内に内蔵されたニクロム線等によって電気的におこなわれる。
　
遠赤外線輻射層を有する加熱部（１）はそれ自体が遠赤外線輻射性物質から構成されていてもよく
　
ウ．「
遠赤外線輻射性物質としては、従来から医療器機や工作機械をはじめとして、各種の工業、農業等の分野において加熱、乾燥、保温、焼付、暖房、加硫、硬化等の目的に利用されている遠赤外線輻射性物質はいずれも本考案に使用可能である
　特に約１〜２５μｍの長波長遠赤外線を多量に放射するセラミツクスは毛髪の芯部まで効果的に輻射熱を通すので好適なものである。」（明細書第３ページ第８行〜第１９行）
　
エ．「考案の効果
　本考案による
遠赤外線ヘアカーラーは伝導熱と共に、毛髪の芯部まで効果的に加温加熱する輻射熱を利用する
毛髪と接触する加熱部
整髪の時間は短縮され
　また、
養毛剤、整髪液、トリートメント液、および染髪液の実用に際して本考案による遠赤外線ヘアカーラーを利用すれば、遠赤外線による輻射熱によつて有効成分の毛髪への付着浸透が効果的におこなわれ、毛髪芯部の細胞の新陳代謝も旺盛となる。
　
オ．記載事項イ．エ．によると、遠赤外線ヘアカーラーは、加熱部（１）と、梳髪部材（２）とを有し、加熱部（１）が毛髪と接触して整髪をするものといえる。
　
カ．記載事項イ．によると、ニクロム線が、加熱部（１）を電気的に加熱するといえ、また、加熱部（１）はそれ自体が遠赤外線輻射性物質から構成されているといえる。
　
（２）引用発明
　前記引用文献２の記載事項ア．〜カ．及び図面の図示内容を総合すると、引用文献２には、次の発明（以下、「引用発明」という。）が記載されていると認められる。
　
「加熱部（１）と、梳髪部材（２）とを有し、前記加熱部（１）が毛髪と接触して整髪をする遠赤外線ヘアカーラーであって、
　前記加熱部（１）を電気的に加熱するニクロム線を備え、
　前記加熱部（１）はそれ自体が遠赤外線輻射性物質から構成されている遠赤外線ヘアカーラー。」
　
２．引用文献４の記載
　原査定の拒絶の理由で引用された、この出願の優先日前に頒布された刊行物である、引用文献４には、図面とともに、次の記載がある。
　
（１）「【０００１】
　本発明は、血流の促進のために人体の所定の部位に貼着して使用される貼着型健康増進用具に関する。」
　
（２）「【００１５】
　この
炭素成型品１０は、焼成により高密度で整った結晶構造
黒鉛、
の炭素粉に
バインダを５重量％程度加えて固め、所定の塊
に加圧成形する。
酸素が欠乏した状態で加熱し、２０００〜３０００℃程度で焼成する。
原料の炭素粉同士は結合し結晶化（黒鉛化、定形炭素化）する。
かさ密度（かさ比重）は、１．７７Ｍｇ／ｍ３以上である
　
（３）「【００２０】
　貼着型健康増進用具１の人体当接部１０ｂの先端は、それを貼着した部位を局所的に刺激する。また、
炭素成型品１０は、
吸収したエネルギーを遠赤外線の形で多く放射し
血流を促進し
　
（４）「【００２３】
　次に、貼着型健康増進用具１の重要なバリエーションである、
発熱するシール材１２を用いたものを説明する。
シール材１２からの熱は、適当な温度で、熱伝導率の高い炭素成型品１０の人体当接部１０ｂの先端まで届き
遠赤外線の量も多くなる。こうして、更に血流を促進できる。
　
３．引用文献６の記載
　原査定の拒絶の理由で引用され、この出願の優先日前に電気通信回線を通じて公衆に利用可能となった、引用文献６には、図面とともに、次の記載がある。
　
（１）「【００１１】
　
口腔内マッサージ具１は、口腔内接触部２を備えている。
口腔内接触部２は、主要部材として、炭素成形体２１を有している。
（２）「【００１２】
　この
炭素成形体２１は、焼成により高密度で整った炭素の結晶構造
黒鉛、
の炭素粉にバインダを５重量％程度加えて固め、水圧などで等方に加圧して所定の塊
に成形する。
酸素が欠乏した状態で加熱し、２５００〜３５００℃程度で長時間かけて焼成する。
原料の炭素粉同士は結合し炭素が結晶化（黒鉛化、定形炭素化）する。
かさ密度（かさ比重）は、１．７７Ｍｇ／ｍ３以上である。
　
（３）「【００１３】
　
炭素成形体２１は、
放射する遠赤外線の量が多く、温度が高いほど多い。
　
（４）「【００２１】
　選択スイッチ３１の操作により
発熱部４が熱せられると、発熱部４の熱は
炭素成形体２１に伝導し、その温度は高くなる。炭素成形体２１は、
温度が高くなるに従って量が多くなった遠赤外線を放射する。
遠赤外線の輻射熱により
口腔内の粘膜の血行をより促進することができる
　
４．引用文献８の記載
　新たに引用する、この出願の優先日前に頒布された刊行物である特開２０１２−１００７７７号公報（「引用文献８」という。）には、図面とともに、次の記載がある。
　
（１）「【０００１】
　本発明は、
顔部又は頭部のマッサージのためのマッサージ具
　
（２）「【００１７】
　皮膚接触部４は、使用者がマッサージ具１を皮膚に押し当てて往復運動をさせると、それに追従して回動するものである。
皮膚接触部４は、
炭素成形体４１から主に成る。
　
（３）「【００１８】
　この
炭素成形体４１は、焼成により高密度で整った炭素の結晶構造が等方（方向によらず）に形成されており、
黒鉛、
の炭素粉にバインダを５重量％程度加えて固め、水圧などで等方に加圧して所定の塊
に成形する。
酸素が欠乏した状態で加熱し、２５００〜３５００℃程度で長時間かけて焼成する。
かさ密度（かさ比重）は、１．７７Ｍｇ／ｍ３以上である。
　
（４）「【００１９】
　
炭素成形体４１は、
放射する遠赤外線の量が多く
温度が高いほど多い
　
（５）「【００２５】
　選択スイッチ２１の操作により
固定軸部３が熱せられると、固定軸部３の熱は
炭素成形体４１に伝導し、その温度は高くなる。炭素成形体４１は、
温度が高くなるに従って量が多くなった遠赤外線を放射する。
遠赤外線の輻射熱により
皮膚近傍の血行をより促進することができる
　
５．引用文献９の記載
　新たに引用する、この出願の優先日前に頒布された刊行物である特開平６−３０４０７６号公報（「引用文献９」という。）には、図面とともに、次の記載がある。
　
（１）「【０００１】
【産業上の利用分野】この発明は、例えばレストラン等でステーキを焼くのに使用される
電磁調理テーブルに関する。
　
（２）「【０００６】このような構成を有する
電磁調理テーブルでは、加熱調理板としてカーボンプレートを使用した点に特徴がある。このカーボンプレートは、主原料である黒鉛と少量の熱可塑性樹脂（四フッ化エチレン樹脂）を原料として成形された平板状の炭素板（等方性高密度黒鉛板）である。このカーボンプレートは、軽量であり、且つ安価である。
　
（３）「【００１１】前記
カーボンプレート２は、主原料の黒鉛に四フッ化エチレン樹脂（テフロン樹脂）を加えて成形した平板である
カーボンプレートの成形方法は、公知の黒鉛板製造方法と同様で、上記原料の粉砕工程、混ねつ工程、粉砕ふるいわけ工程を経て成形（均衡プレス成形）し、焼成工程を終了した後、黒鉛化される。つまり、実施例のカーボンプレート２は、当方性
高密度黒鉛材
を、調理加熱用発熱体として利用するものである。
　
（４）「【００１２】このような構成を有する電磁調理テーブルでは、加熱コイル３４に電流を流すと、コイル３４から磁力線が発生する。この磁力線は、カーボンプレート２を下面から上面方向へ直交状に透過（貫通）し、更に上方から上面及び下面を直交状に透過して戻る。仮に、加熱調理板が従来のように鉄板等の磁性体の場合には、磁力線は磁性体である鉄板に引きつけられ、鉄板の厚み内を平行に進行し、水平状の磁力線の周囲に、垂直面状の渦電流（鉄板の表面に対し直角方向の渦電流）が生じる。しかし、非磁性体であるカーボンプレート２の場合には、磁力線が垂直状に透過する。そして、カーボンプレート２の表面及び内部において、垂直状磁力線の周囲に、水平面状の渦電流（カーボンプレートの表面に対し平行する渦電流）が発生する。カーボンプレート２は、この渦電流により、カーボンプレート２の電気抵抗でジュール発熱する。カーボンプレート２は、迅速に加熱され、カーボンプレート２上の食品（例えば肉）が速やかに焼かれる。また、カーボンプレート２上に乗せ置かれた食品に対し、
加熱されたカーボンプレート２から遠赤外線が放射し
　
第５　対比
　以下、本願発明と引用発明とを対比する。
　引用発明の「加熱部（１）」は、ヘアカーラーの一般的な形状を考慮の上、引用文献２の第１図の図示内容をみると、長尺状に形成されているといえ、本願発明の「長尺の第１アーム」に相当する。
　引用発明の「梳髪部材（２）」は、ヘアカーラーの一般的な形状を考慮の上、引用文献２の第１図の図示内容をみると、長尺状に形成されているといえ、さらに、ヘアカーラーの一般的な作用、機能も考慮すると、「加熱部（１）」との間で、毛髪を挟持する状態と、挟持しない状態をとるように移動するものと解されるから、その一端部が加熱部（１）に枢着され、その他端部が加熱部（１）に対して近づく方向、又は遠ざかる方向に移動自在であるといえる。すると、引用発明の「梳髪部材（２）」は、本願発明の「長尺であり、長手方向の一端部が前記第１アームの長手方向の一端部に枢着され、他端部が前記第１アームの他端部に対して近づく方向または遠ざかる方向へ移動自在である第２アーム」に相当する。
　引用発明の「前記加熱部（１）が毛髪と接触して整髪をする」という事項における「加熱部（１）が毛髪と接触」する状態とは、ヘアカーラーの作用、機能も考慮すると、加熱部（１）と梳髪部材（２）とで毛髪を挟持した状態であると解されるから、引用発明の「前記加熱部（１）が毛髪と接触して整髪をする」という事項は、本願発明の「前記第１アームと前記第２アームとで毛髪を挟持して施術する」という事項に相当する。
　引用発明の「遠赤外線ヘアカーラー」は、本願発明の「ヘアーアイロン」に相当する。
　また、前記したように、引用発明の「前記加熱部（１）が毛髪と接触して整髪をする」という事項における「加熱部（１）が毛髪と接触」する状態とは、加熱部（１）と梳髪部材（２）とで毛髪を挟持した状態であると解されるから、引用発明の「加熱部（１）」及び「梳髪部材（２）」は、互いに対向し、整髪時に毛髪と接触する部分をそれぞれ備えているといえる。すると、引用発明の「加熱部（１）」の毛髪と接触する部分は、本願発明の「前記第１アームにおける前記第２アームに対向する部位に設けられ、施術時に毛髪に接触する第１接触部」に相当し、引用発明の「梳髪部材（２）」の毛髪と接触する部分は、本願発明の「前記第２アームにおける前記第１アームに対向する部位に設けられ、施術時に毛髪に接触する第２接触部」に相当する。
　引用発明の「ニクロム線」は、本願発明の「加熱部」に相当する。また、引用発明において、ニクロム線により加熱部（１）が加熱される際、加熱部（１）の毛髪と接触する部分も加熱されるといえるから、引用発明の「前記加熱部（１）を電気的に加熱するニクロム線」は、本願発明の「前記第１接触部と前記第２接触部との少なくとも一方を加熱する加熱部」に相当する。
　引用発明の「前記加熱部（１）はそれ自体が遠赤外線輻射性物質から構成されている」という事項において、加熱部（１）の毛髪と接触する部分も遠赤外線輻射性物質から構成されているといえるから、引用発明の「前記加熱部（１）はそれ自体が遠赤外線輻射性物質から構成されている」という事項と、本願発明の「前記第１接触部と前記第２接触部との少なくとも一方は、等方性高密度黒鉛から形成された部位を有する」という事項とは、「前記第１接触部と前記第２接触部との少なくとも一方は、遠赤外線輻射性物質から形成された部位を有する」点において共通する。
　
　したがって、本願発明と引用発明とは、
「長尺の第１アームと、長尺であり、長手方向の一端部が前記第１アームの長手方向の一端部に枢着され、他端部が前記第１アームの他端部に対して近づく方向または遠ざかる方向へ移動自在である第２アームと、を有し、前記第１アームと前記第２アームとで毛髪を挟持して施術するヘアーアイロンであって、
　前記第１アームにおける前記第２アームに対向する部位に設けられ、施術時に毛髪に接触する第１接触部と、
　前記第２アームにおける前記第１アームに対向する部位に設けられ、施術時に毛髪に接触する第２接触部と、
　前記第１接触部と前記第２接触部との少なくとも一方を加熱する加熱部と、を備え、
　前記第１接触部と前記第２接触部との少なくとも一方は、遠赤外線輻射性物質から形成された部位を有する、
　ヘアーアイロン。」
　である点で一致し、以下の点で相違する。
　
［相違点］
　遠赤外線輻射性物質について、本願発明は、「等方性高密度黒鉛」であるのに対し、引用発明はこのような物質であるとはいえない点。
　
第６　判断
（１）相違点について
　以下、前記［相違点］について検討する。
　引用文献８は、この出願の明細書の段落【００１５】において、本願発明の「等方性高密度黒鉛」を製作するための製造方法が記載された文献として引用されたものであって、引用文献８には、その段落【００１８】、【００１９】、【００２５】等の記載を考慮すると、等方性高密度黒鉛からなる炭素成形体４１は、放射する遠赤外線の量が多く、温度が高いほど放射する遠赤外線の量が多い点が記載され、また、熱せられる固定軸部３とともに用いられて多くの遠赤外線を放射する点が記載されている。
　引用文献６には、その段落【００１２】、【００１３】、【００２１】等の記載を考慮すると、高密度、かつ炭素の結晶構造がほぼ等方で黒鉛化した炭素成形体２１は、放射する遠赤外線の量が多く、温度が高いほど放射する遠赤外線の量が多い点が記載され、また、発熱部４とともに用いられて多くの遠赤外線を放射する点が記載されている。ここで、この炭素成形体２１は、その製造方法及びかさ密度（段落【００１２】）が、引用文献８の段落【００１８】に記載された製造方法及びかさ密度と同様であるから、等方性高密度黒鉛からなるといえる。
　引用文献４には、その段落【００１５】、【００２０】、【００２３】等の記載を考慮すると、高密度、かつ炭素の結晶構造が整い、黒鉛化した炭素成型品１０は、多くの遠赤外線を放射する点が記載され、また、発熱するシール材１２とともに用いられて放射する遠赤外線の量が多くなる点が記載されている。ここで、この炭素成型品１０は、その結晶構造が整っているものの、等方であるかは明確でないが、その製造方法及びかさ密度（段落【００１５】）が、引用文献８の段落【００１８】に記載された製造方法及びかさ密度と同様であるから、等方性高密度黒鉛からなるものと推認できる。
　引用文献９には、その段落【０００６】、【００１１】、【００１２】等の記載を考慮すると、等方性高密度黒鉛材からなるカーボンプレート２が加熱され遠赤外線を放射する点が記載されている。
　そして、これら引用文献４、引用文献６、引用文献８及び引用文献９に記載された事項を考慮すると、遠赤外線を放射する物質として、等方性高密度黒鉛を用いることは、この出願の優先日前から周知の事項であるといえ、また、この等方性高密度黒鉛について、放射される遠赤外線の量が多く、さらに加熱手段とともに用いられることで、より多くの遠赤外線を放射するという性質も、同様に周知の事項であるといえる。
　そして、引用発明の「遠赤外線輻射性物質」と、前記周知の事項の「等方性高密度黒鉛」とは、遠赤外線を放射するものであり、かつ加熱手段とともに用いられるものであって、作用、機能が共通している。また、引用発明の「遠赤外線輻射性物質」について、引用文献２には、前記第４　１．（１）の記載事項ウ．によると、各種の分野において種々の目的で利用されている遠赤外線輻射性物質を使用可能であることが示唆されている。
　ここで、前記周知の事項の「等方性高密度黒鉛」は、前記したように放射される遠赤外線の量が多く、さらに加熱手段とともに用いられることで、より多くの遠赤外線を放射するという性質も知られているから、引用発明のニクロム線で加熱される「遠赤外線輻射性物質」を、前記周知の事項の「等方性高密度黒鉛」とすることは、当業者が容易に想到し得たものである。
　
（２）請求人の主張について
ア．請求人は、審判請求書において、「遠赤外線放射材料として黒鉛が用いられることについて、周知文献として引用文献４、６、７が引かれており、特に引用文献６では遠赤外線放射と発熱部による加熱との関係も記載されているが、これら文献の発明はいずれも、貼着型健康増進用具、口腔内マッサージ具、調理器具用部材等に、炭素材料を遠赤外線放射が可能な材料として採用しただけにすぎない。」旨、主張しているが、前記（１）で検討したように、遠赤外線を放射する物質として、等方性高密度黒鉛を用いることは、貼着型健康増進用具、口腔内マッサージ具等といった分野を問わず、その性質とともに、この出願の優先日前から周知の事項といえ、貼着型健康増進用具についての引用文献４、口腔内マッサージ具についての引用文献６は、等方性高密度黒鉛が各種の分野で用いられていることを示すために例示されたものである。
　そして、引用文献２には、前記第４　１．（１）の記載事項ウ．によると、引用発明の遠赤外線ヘアカーラーにおける「遠赤外線輻射性物質」について、各種の分野において種々の目的で利用されている遠赤外線輻射性物質を使用可能であると示唆されているのであるから、引用発明の遠赤外線ヘアカーラーにおける「遠赤外線輻射性物質」として、前記したように分野を問わずに周知の事項といえる「等方性高密度黒鉛」の採用を試みる動機付けは存在するといえる。
イ．請求人は、審判請求書において、「いずれの周知文献にも等方性高密度黒鉛を用いることの記載はない。」旨、主張しているが、原査定の拒絶の理由で引用した引用文献４に記載された炭素成型品１０は、高密度、かつ炭素の結晶構造が整い、黒鉛化したものであって、その製造方法が、黒鉛の炭素粉にバインダを加えて固め、所定の塊に加圧成形し、酸素が欠乏した状態で加熱し、焼成するものであり、そのかさ密度が、１．７７Ｍｇ／ｍ３以上である（段落【００１５】）ことを考慮すると、本願発明の「等方性高密度黒鉛」を製作するための製造方法が記載された文献として、この出願の明細書で引用された引用文献８の段落【００１８】に記載された製造方法及びかさ密度と同様といえるから、「等方性高密度黒鉛」からなるものと推認できる。
　さらに、原査定の拒絶の理由で引用した引用文献６に記載された炭素成形体２１は、高密度、かつ炭素の結晶構造がほぼ等方で黒鉛化したものであって、その製造方法が、黒鉛の炭素粉にバインダを加えて固め、水圧などで等方に加圧して所定の塊に成形し、酸素が欠乏した状態で加熱し、焼成するものであり、そのかさ密度が、１．７７Ｍｇ／ｍ３以上である（段落【００１２】）ことを考慮すると、本願発明の「等方性高密度黒鉛」を製作するための製造方法が記載された文献として、この出願の明細書で引用された引用文献８の段落【００１８】に記載された製造方法及びかさ密度と同様といえるから、「等方性高密度黒鉛」からなるものといえる。
　すると、原査定の拒絶の理由で引用した引用文献４及び引用文献６には、「等方性高密度黒鉛」を用いることが記載されているといえる。そして、これら引用文献４及び引用文献６の他、引用文献８及び引用文献９に記載された事項も考慮すると、遠赤外線を放射する物質として、「等方性高密度黒鉛」を用いることが、この出願の優先日前から周知の事項であるという認定に誤りはない。
ウ．請求人は、審判請求書において、「また原査定では、黒鉛の遠赤外線放射性のみに着目して本願発明の進歩性を否定しているが、本願発明の目的としてはヘアーアイロンの軽量化にもあり、本願発明は、その点も踏まえて発明したのである。」旨、主張しているが、ヘアーアイロンは、使用者の年齢や性別を問わず、使用者が手で持って使用するものであるから、その軽量化は、当業者が当然、考慮するものである。そして、「等方性高密度黒鉛」のかさ密度が、１．７７Ｍｇ／ｍ３程度であることも、引用文献４、引用文献６及び引用文献８に記載されているように、この出願の優先日前から周知の事項であるから、請求人が主張するヘアーアイロンの軽量化が図れるという効果は、引用発明の遠赤外線ヘアカーラーにおける「遠赤外線輻射性物質」として、前記周知の事項の「等方性高密度黒鉛」を採用することにより、当業者が予測できる範囲のものである。
　
　したがって、請求人の主張は採用できない。
（３）本願発明の作用効果について
　本願発明の作用効果については、引用発明及び前記周知の事項から当業者が予測できる範囲のものである。
　
第７　むすび
　したがって、本願発明は、引用発明及び前記周知の事項に基づいて、当業者が容易に発明をすることができたものであるから、本願発明は、特許法第２９条第２項の規定により特許を受けることができない。　
　そうすると、このような特許を受けることができない発明を包含するこの出願は、この出願の他の請求項に係る発明について検討するまでもなく、拒絶されるべきものである。
　
　よって、結論のとおり審決する。